(57)【要約】【課題】掃除機を重くすることなく、お手入れブラシを容易に着脱することができる掃除機システムを提供する。【解決手段】掃除機システムは、掃除機とお手入れブラシと支持装置とを備える。掃除機は、集塵ユニットを有する。お手入れブラシは、集塵ユニットを清掃する際に用いられる。支持装置は、掃除機を着脱自在に支持する。支持装置は、お手入れブラシを着脱自在に保持する。支持装置は、掃除機を支持していない際にお手入れブラシを外部に露出させる。【選択図】図１８
2019162285.tif 000002
【特許請求の範囲】
【請求項１】
集塵ユニットを有した掃除機と、
前記集塵ユニットを清掃する際に用いられるお手入れブラシと、
前記掃除機を着脱自在に支持し、前記お手入れブラシを着脱自在に保持し、前記掃除機を支持していない際に前記お手入れブラシを外部に露出させる支持装置と、
を備えた掃除機システム。
【請求項２】
前記支持装置は、前記お手入れブラシの長手方向の中央部を保持し、前記お手入れブラシの長手方向の中央部よりも下方においては前記お手入れブラシを保持せず、前記掃除機を支持した際に前記掃除機により前記お手入れブラシを外部から遮蔽する請求項１に記載の掃除機システム。
【請求項３】
前記支持装置は、
前記お手入れブラシの長手方向の中央部を保持する位置よりも下方の奥側において前記お手入れブラシの奥側方向への変位を規制する規制部、
を備えた請求項２に記載の掃除機システム。
【請求項４】
前記規制部は、
前記お手入れブラシの長手方向の中央部を保持する位置よりも下方の奥側において前記お手入れブラシから離れる方向に傾斜した傾斜部である、
請求項３に記載の掃除機システム。
【請求項５】
前記規制部は、
前記お手入れブラシの長手方向の中央部を保持する位置よりも下方の奥側において前記お手入れブラシの側に突き出すリブである、
を請求項３に記載の掃除機システム。
【請求項６】
前記支持装置は、前記掃除機を支持した際に前記集塵ユニットと対向する位置において前記お手入れブラシを保持し、前記集塵ユニットが前記掃除機から取り外された状態において前記掃除機を支持した際に前記お手入れブラシを外部に露出させる請求項１から請求項４のいずれか１項に記載の掃除機システム。
【発明の詳細な説明】
【技術分野】
【０００１】
この発明は、掃除機システムに関する。
【背景技術】
【０００２】
特許文献１は、お手入れブラシを備えた掃除機の構成を開示する。当該掃除機によれば、お手入れブラシおよびその取付構造が簡単な構成で実現される。
【先行技術文献】
【特許文献】
【０００３】
【特許文献１】特許第５７２４２１８号公報
【発明の概要】
【発明が解決しようとする課題】
【０００４】
しかしながら、特許文献１に記載の掃除機においては、お手入れブラシは、掃除機の本体に取り付けられる。このため、お手入れブラシの分だけ、掃除機が重くなる。
【０００５】
この発明は、上述の課題を解決するためになされた。この発明の目的は、掃除機を重くすることなく、お手入れブラシを容易に着脱することができる掃除機システムを提供することである。
【課題を解決するための手段】
【０００６】
この発明に係る掃除機システムは、集塵ユニットを有した掃除機と、前記集塵ユニットを清掃する際に用いられるお手入れブラシと、前記掃除機を着脱自在に支持し、前記お手入れブラシを着脱自在に保持し、前記掃除機を支持していない際に前記お手入れブラシを外部に露出させる支持装置と、を備えた。
【発明の効果】
【０００７】
この発明によれば、支持装置は、お手入れブラシを着脱自在に保持する。支持装置は、掃除機を支持していない際にお手入れブラシを外部に露出させる。このため、掃除機を重くすることなく、お手入れブラシを容易に着脱することができる。
【図面の簡単な説明】
【０００８】
【図１】実施の形態１における掃除機システムの側面図である。
【図２】実施の形態１における掃除機システムの斜視図である。
【図３】実施の形態１における掃除機システムの掃除機を前方から見た際の正面図である。
【図４】実施の形態１における掃除機システムの掃除機を後方から見た際の正面図である。
【図５】実施の形態１における掃除機システムの掃除機の側面図である。
【図６】実施の形態１における掃除機システムの掃除機の要部の縦断面図である。
【図７】実施の形態１における掃除機システムの掃除機の要部を一側から見た際の側面図である。
【図８】実施の形態１における掃除機システムの掃除機の要部を他側から見た際の側面図である。
【図９】実施の形態１における掃除機システムの掃除機の斜視図である。
【図１０】実施の形態１における掃除機システムの掃除機の側面図である。
【図１１】実施の形態１における掃除機システムの掃除機の要部の側面図である。
【図１２】実施の形態１における掃除機システムの掃除機の要部の側面図である。
【図１３】実施の形態１における掃除機システムの掃除機において収容ユニットから集塵ユニットを取り外した状態を示す断面図である。
【図１４】実施の形態１における掃除機システムの掃除機において収容ユニットから集塵ユニットを取り外した状態を示す正面図である。
【図１５】実施の形態１における掃除機システムの掃除機において収容ユニットから集塵ユニットを取り外した状態を示す斜視図である。
【図１６】この発明の実施の形態１における掃除機システムの掃除機の集塵ユニットを示す斜視図である。
【図１７】実施の形態１における掃除機システムの掃除機の集塵ユニットの分解斜視図である。
【図１８】実施の形態１における掃除機システムの支持装置と収納前のお手入れブラシとの斜視図である。
【図１９】実施の形態１における掃除機システムのお手入れブラシの平面図である。
【図２０】実施の形態１における掃除機システムのお手入れブラシの断面図である。
【図２１】実施の形態１における掃除機システムの支持装置にお手入れブラシが収納された状態を示す断面図である。
【図２２】実施の形態２における掃除機システムのお手入れブラシを収納した状態のお手入れブラシ収納部の断面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における掃除機システムの側面図である。図２は実施の形態１における掃除機システムの斜視図である。図３は実施の形態１における掃除機システムの掃除機を前方から見た際の正面図である。図４は実施の形態１における掃除機システムの掃除機を後方から見た際の正面図である。図５は実施の形態１における掃除機システムの掃除機の側面図である。
【００１１】
図１と図２に示されるように、掃除機システム１は、支持装置２と掃除機３とを備える。例えば、支持装置２は、居室の床面に置かれる。例えば、掃除機３は、スティック型の掃除機である。掃除機３は、掃除が行われる際に支持装置２から取り外される。掃除機３は、掃除が終了した後に進行方向を維持したまま支持装置２に取り付けられる。その結果、掃除機３は、後部を意匠面として配置される。
【００１２】
例えば、支持装置２は、基体４と支持体５と保持体６とを備える。
【００１３】
基体４は、支持装置２の中で最も下方に配置される。例えば、基体４は、居室の壁際の床面に置かれる。例えば、支持体５は、柱状である。例えば、支持体５の下端部は、基体４に固定される。保持体６は、基体４より上方に配置される。例えば、保持体６は、支持体５の中間部に支持される。
【００１４】
図３から図５に示されるように、掃除機３は、吸い込み具７と管体８と本体９とを備える。
【００１５】
吸い込み具７は、図示されない開口を備える。掃除機３が支持装置２に取り付けられる際、吸い込み具７は、図３から図５においては図示されない支持装置２の基体４に支持される。例えば、管体８は、一直線状に形成される。管体８の一端部は、吸い込み具７の幅方向の中間部に対して着脱自在に設けられる。本体９の後部は、管体８の他端部に対して着脱自在に設けられる。例えば、本体９の後部は、図示されないラッチにより管体８の他端部との接続を維持する。本体９の重心は、管体８よりも本体９の前方側となる。
【００１６】
次に、図６から図８を用いて、掃除機３を説明する。
図６は実施の形態１における掃除機システムの掃除機の要部の縦断面図である。図７は実施の形態１における掃除機システムの掃除機の要部を一側から見た際の側面図である。図８は実施の形態１における掃除機システムの掃除機の要部を他側から見た際の側面図である。
【００１７】
図６に示されるように、掃除機３において、本体９は、収容ユニット１０とハンドル部１１と電動送風部１２と集塵ユニット１３とフィルタ部１４と操作部１５と制御部１６と電源部１７とクッション１８とを備える。
【００１８】
図６に示されるように、本体９は、排気部１９ａと格子部２０とを備える。図７に示されるように、本体９は、排気部１９ｂを備える。図８に示されるように、本体９は、排気部１９ｃを備える。
【００１９】
収容ユニット１０は、外郭をなす。ハンドル部１１は、収容ユニット１０の前端部から後端部にかけて連続的に形成される。ハンドル部１１の後端部と前端部とは、平行に設けられる。ハンドル部１１の中間部は、収容ユニット１０の天面の上方においてハンドル部１１の後端部と前端部とに対して湾曲して連結される。ハンドル部１１の中間部は、上側に凸となるように形成される。ハンドル部１１の後端部は、管体８の延長線上において収容ユニット１０の後方側に設けられる。ハンドル部１１の前端部は、収容ユニット１０の前部よりも収容ユニット１０の前方側に設けられる。例えば、ハンドル部１１の前端部は、収容ユニット１０の前部に設けられた凸部に連結される。
【００２０】
電動送風部１２は、収容ユニット１０に収納される。集塵ユニット１３は、収容ユニット１０の下部に対して着脱自在に設けられる。集塵ユニット１３は、電動送風部１２の下方に設けられる。フィルタ部１４は、収容ユニット１０に収納される。フィルタ部１４は、電動送風部１２と集塵ユニット１３との間に設けられる。
【００２１】
操作部１５は、ハンドル部１１に設けられる。例えば、操作部１５は、複数の操作スイッチである。制御部１６は、収容ユニット１０に収納される。制御部１６は、電動送風部１２の直上に設けられる。電源部１７は、ハンドル部１１の後端部の下方において収容ユニット１０の後部に収納される。クッション１８は、収容ユニット１０の前部に収納される。
【００２２】
排気部１９ａは、ハンドル部１１の前端部に設けられる。格子部２０は、排気部１９ａに対して開閉自在に設けられる。排気部１９ｂは、収容ユニット１０の後部の一側に設けられる。排気部１９ｃは、収容ユニット１０の後部の他側に設けられる。例えば、排気部１９ｂと排気部１９ｃとの風路の断面積の和は、排気部１９ａの風路の断面積よりも小さい。格子部２０は、クッション１８の直下に設けられる。
【００２３】
掃除機３の利用者は、ハンドル部１１を持つ。当該利用者は、ハンドル部１１を持った手で操作部１５を操作することもできる。制御部１６は、電源部１７からの電力を利用して操作部１５への操作内容に基づいて電動送風部１２の動作を制御する。例えば、制御部１６は、電動送風部１２が停止している状態において操作スイッチの一方が押された際に電動送風部１２を動作させる。例えば、制御部１６は、電動送風部１２が動作している状態において操作スイッチの一方が押された際に電動送風部１２を停止させる。例えば、制御部１６は、電動送風部１２が動作している状態において操作スイッチの他方が押された際に電動送風部１２の回転数を変更する。
【００２４】
電動送風部１２が動作すると、掃除機３に形成された各風路に、吸引風が発生する。当該吸引風により、図６から図８においては図示されない吸い込み具７の開口から含塵空気が吸い込まれる。その後、当該含塵空気は、管体８の内部を通過する。その後、当該空気は、本体９に到達する。
【００２５】
その後、当該含塵空気は、集塵ユニット１３を通過する。この際、集塵ユニット１３は、塵埃を当該含塵空気から分離する。例えば、集塵ユニット１３は、当該含塵空気を旋回させることで遠心力を利用して塵埃を当該含塵空気から分離するサイクロン分離装置として機能する。集塵ユニット１３は、当該塵埃を一時的に留める。
【００２６】
その後、清浄空気は、フィルタ部１４を通過する。この際、フィルタ部１４は、当該空気に含まれた細かい塵埃を当該空気から取り除く。その後、当該空気は、電動送風部１２を通過する。当該空気は、電源部１７を通過する。この際、電源部１７は、当該空気により冷却される。
【００２７】
その後、当該空気は、排気部１９ａ、排気部１９ｂおよび排気部１９ｃから本体９の外部に排出される。例えば、当該空気は、室内に戻される。この際、クッション１８は、排気の速度を抑制する。格子部２０は、排気の向きを整える。
【００２８】
格子部２０が倒されている場合、風路が開放される。この場合、排気部１９ａを通過する風量は、排気部１９ｂと排気部１９ｃとを通過する風量の和よりも多い。
【００２９】
次に、図９から図１１を用いて、スティック型掃除機としての掃除機３の利用方法を説明する。
図９は実施の形態１における掃除機システムの掃除機の斜視図である。図１０は実施の形態１における掃除機システムの掃除機の側面図である。図１１は実施の形態１における掃除機システムの掃除機の要部の側面図である。
【００３０】
掃除機３がスティック型掃除機として利用される際、利用者は、ハンドル部１１の中間部を持つ。例えば、図９に示されるように、利用者は、管体８の長手方向が斜め方向となるようにして床面を掃除する。例えば、図１０に示されるように、利用者は、本体９が上側に配置された状態で管体８の長手方向が水平方向となるようにして家具の下方の隙間を掃除する。例えば、図１１に示されるように、利用者は、吸い込み具７が取り外された状態で管体８の長手方向が斜め方向となるようにして天井を掃除する。
【００３１】
次に、図１２を用いて、ハンディ型掃除機としての掃除機３の利用方法を説明する。
図１２は実施の形態１における掃除機システムの掃除機の要部の側面図である。
【００３２】
掃除機３がハンディ型掃除機として利用される際、利用者は、ハンドル部１１の前端部の側を持つ。例えば、図１２に示されるように、利用者は、吸い込み具７と管体８とが取り外された状態で被掃除面を掃除する。
【００３３】
次に、図１３から図１５を用いて、掃除機３の風路を説明する。
【００３４】
図１３は実施の形態１における掃除機システムの掃除機において収容ユニットから集塵ユニットを取り外した状態を示す縦断面図である。図１４は実施の形態１における掃除機システムの掃除機において収容ユニットから集塵ユニットを取り外した状態を示す正面図である。図１５は実施の形態１における掃除機システムの掃除機において収容ユニットから集塵ユニットを取り外した状態を示す斜視図である。
【００３５】
図１３に示されるように、収容ユニット１０は、吸気風路形成部２１と排気風路形成部２２とを備える。吸気風路形成部２１の下端部は、管体８の上端部に接続される。吸気風路形成部２１は、吸気風路２３を形成する。排気風路形成部２２は、収容ユニット１０の内部に設けられる。排気風路形成部２２は、排気風路２４を形成する。
【００３６】
図１３から図１５に示されるように、収容ユニット１０は、接続口２５を備える。接続口２５は、吸気風路形成部２１の上端部の前側に形成される。
【００３７】
図１３において、電動送風部１２が動作すると、掃除機３に形成された各風路に、吸引風が発生する。当該吸引風により、吸い込み具７の開口から含塵空気が吸い込まれる。その後、当該含塵空気は、管体８の内部を通過する。その後、当該含塵空気は、本体９に到達する。
【００３８】
その後、当該含塵空気は、吸気風路２３に流入して接続口２５に到達する。その後、当該含塵空気は、図１３においては図示されない集塵ユニット１３に送られる。
【００３９】
集塵ユニット１３からは、清浄空気が排出される。当該清浄空気は、排気風路２４に流入する。その後、当該清浄空気は、排気風路２４の内部において電動送風部１２を通過する。その後、当該清浄空気は、排気風路２４をさらに進む。その後、当該清浄空気は、本体９の外部に排出される。
【００４０】
次に図１６と図１７とを用いて、集塵ユニット１３を詳細に説明する。
図１６はこの発明の実施の形態１における掃除機システムの掃除機の集塵ユニットを示す斜視図である。図１７は実施の形態１における掃除機システムの掃除機の集塵ユニットの分解斜視図である。
【００４１】
図１６に示されるように、集塵ユニット１３は、全体として円筒状に形成される。図１７に示されるように、集塵ユニット１３は、排出孔部ケース２６と流入部ケース２７と集塵部ケース２８とを備える。例えば、排出孔部ケース２６と流入部ケース２７と集塵部ケース２８とは、成型品からなる。例えば、集塵部ケース２８は、内部を視認できるように透明度の高い樹脂材料で形成される。
【００４２】
フィルタ部１４と排出孔部ケース２６と流入部ケース２７と集塵部ケース２８とは、図１６と図１７とにおいては図示されないロック機構に対する操作等により分解されたり組み立てられたりされる。集塵ユニット１３においては、図１６の状態から集塵部ケース２８のみが取り外され得る。
【００４３】
次に、図１８から図２１を用いて、集塵ユニット１３の内部のごみを清掃するためのお手入れブラシ３０を説明する。
図１８は実施の形態１における掃除機システムの支持装置と収納前のお手入れブラシとの斜視図である。図１９は実施の形態１における掃除機システムのお手入れブラシの平面図である。図２０は実施の形態１における掃除機システムのお手入れブラシの断面図である。図２１は実施の形態１における掃除機システムの支持装置にお手入れブラシが収納された状態を示す断面図である。
【００４４】
図１８に示されるように、支持装置２は、お手入れブラシ収納部２９を備える。お手入れブラシ収納部２９は、保持体６の上方において支持体５に設けられる。お手入れブラシ収納部２９は、図１８においては図示されない掃除機３が支持装置２に支持された際に図１８においては図示されない集塵ユニット１３と対向する位置に設けられる。お手入れブラシ収納部２９は、保持体６の外面を窪ませて構成してもよい。お手入れブラシ３０をお手入れブラシ収納部２９に収納したとき、お手入れブラシ３０の外側に露出する面が、お手入れブラシ３０に隣接するお手入れブラシ収納部２９の周囲の外面から突出しないように構成することが望ましい。このように構成することで、掃除機３の利用者が、お手入れブラシ収納部２９に収納されたお手入れブラシ３０に意図せず触れても、お手入れブラシ３０がお手入れブラシ収納部２９から外れることが抑制される。
【００４５】
お手入れブラシ３０は、お手入れブラシ収納部２９に対して着脱自在に設けられる。お手入れブラシ３０は、掃除機３が支持装置２に支持された際に集塵ユニット１３と対向する位置に配置される。掃除機３が支持装置２から取り外された場合、および、集塵ユニット１３が掃除機３から取り外された状態において支持装置２が掃除機３を支持した場合、お手入れブラシ３０は、外部に露出する。
【００４６】
図１９に示されるように、お手入れブラシ３０は、柄部３１とブラシ部３２とを備える。
【００４７】
図２０に示されるように、柄部３１は、保持部３３と持ち手部３４とを備える。保持部３３と持ち手部３４とは、成型部３５と軟質部３６とで形成される。例えば、成型部３５は、ＡＢＳ、ＰＰ等の樹脂材料で形成される。例えば、軟質部３６は、シリコンゴム等のゴム系材料で形成される。
【００４８】
保持部３３は、柄部３１の長手方向の中央部に設けられる。保持部３３において、軟質部３６は、環状に形成される。軟質部３６の中心部には、穴部３７が形成される。穴部３７は、弾性を備える。穴部３７は、径方向に伸縮し得る。穴部３７の内側には、突起部３８が設けられる。突起部３８は、穴部３７の径方向の変位を確保し得るように設けられる。
【００４９】
持ち手部３４において、軟質部３６は、表面に露出する。軟質部３６の表裏両面には、手触りがよいように球面状のくぼみ部３９が形成される。なお、持ち手部３４の形状は、任意である。例えば、持ち手部３４の表面は、平面でもよい。例えば、持ち手部３４の表面は、平面の組み合わせで形成された凹部または凸部でもよい。
【００５０】
柄部３１の一側３１ａにおいて、適度の弾性を持たせるために、凹部４０ａが形成される。柄部３１の他側３１ｂにおいて、凹部４０ｂが形成される。
【００５１】
ブラシ部３２は、植毛を備える。当該植毛は、柄部３１の一側３１ａの端部に設けられる。例えば、当該植毛は、柄部３１の一側３１ａの端部に接着される。なお、当該植毛を柄部３１の他側３１ｂの端部にも設けてもよい。
【００５２】
ある程度の塵埃が集塵ユニット１３の内部に溜まった場合、集塵ユニット１３は、本体９から取り外される。その後、集塵ユニット１３は、図１７のように分解される。その後、集塵ユニット１３の内部の塵埃がごみ箱に排出される。
【００５３】
その後、お手入れブラシ３０がお手入れブラシ収納部２９から取り外される。その後、集塵ユニット１３の内面に付着した塵埃および隙間に溜まった塵埃がお手入れブラシ３０のブラシ部３２で掻き出される。その後、集塵ユニット１３が部品ごとに水等で洗浄される。
【００５４】
フィルタ部１４等に付着した塵埃も、お手入れブラシ３０で清掃される。特に、フィルタ部１４に一般的に使用されるプリーツフィルタが清掃される際、柄部３１が適度の弾性で屈曲する。このため、プリーツフィルタの谷部に堆積したり付着したりした塵埃は、ブラシ部３２で容易に掻き出される。
【００５５】
図２１に示されるように、お手入れブラシ収納部２９は、突起部４１と傾斜部４２とを備える。突起部４１は、短円柱状に形成される。傾斜部４２は、お手入れブラシ収納部２９の下部において支持装置２の正面方向から奥側かつ下方に傾斜する。
【００５６】
お手入れブラシ３０は、突起部４１に保持部３３の穴部３７を圧入することにより支持装置２のお手入れブラシ収納部２９に容易かつ確実に取り付けられる。お手入れブラシ３０がお手入れブラシ収納部２９に収納された状態において、柄部３１の一側３１ａの一面が傾斜部４２に接触するまで押し込まれると、柄部３１の他側３１ｂが手前に押し出される。このため、ブラシ部３２に触れることなく、お手入れブラシ３０が容易に取り外される。傾斜部４１は、お手入れブラシ３０の長手方向の中央部を保持する位置よりも下方の奥側において、お手入れブラシ３０の奥側方向への変位を規制する規制部の一例である。
なお、傾斜部４２を突起部４１の上側にも形成してもよい。柄部３１の他側３１ｂを上側の傾斜部４２に接触するまで押し込んでも、柄部３１の一側３１ａが手前に押し出され、お手入れブラシ３０が容易に取り外される。また、お手入れブラシ収納部２９側に一対のリブを形成し、この一対のリブの間にお手入れブラシ３０の柄部３１を挟むようにして、お手入れブラシ３０をお手入れブラシ収納部２９に取り付けるようにしてもよい。
【００５７】
以上で説明した実施の形態１によれば、支持装置２は、お手入れブラシ３０を着脱自在に保持する。支持装置２は、掃除機３を支持していない際にお手入れブラシ３０を外部に露出させる。このため、掃除機３を重くすることなく、お手入れブラシ３０を容易に着脱することができる。
【００５８】
また、支持装置２は、お手入れブラシ３０の長手方向の中央部を保持する。支持装置２は、お手入れブラシ３０の長手方向の中央部よりも下方においてはお手入れブラシ３０を保持しない。支持装置２は、掃除機３を支持した際に掃除機３によりお手入れブラシ３０を外部から遮蔽する。このため、掃除機システムの意匠性を損なうことなく、お手入れブラシ３０を保持することができる。
【００５９】
また、支持装置２において、傾斜部４２は、お手入れブラシ３０の長手方向の中央部を保持する位置よりも下方の奥側においてお手入れブラシ３０から離れる方向に傾斜する。このため、お手入れブラシ３０の下部の押し込み過ぎによりお手入れブラシ３０が外れることを抑制することができる。
【００６０】
また、集塵ユニット１３が掃除機３から取り外された状態において支持装置２が掃除機３を支持した際、お手入れブラシ３０は、外部に露出する。このため、集塵ユニット１３の清掃時において本体９を支持装置２に装着した状態でも、お手入れブラシ３０を容易に着脱することができる。
【００６１】
実施の形態２．
図２２は実施の形態２における掃除機システムのお手入れブラシを収納した状態のお手入れブラシ収納部の断面図である。なお、実施の形態１と同一または相当部分には、同一符号が付される。当該部分の説明は省略される。
【００６２】
実施の形態２のお手入れブラシ収納部２９は、リブ４３を備える。リブ４３は、お手入れブラシ収納部２９の下部においてお手入れブラシ３０の長手方向の中央部を保持する位置よりも下方の奥側に設けられる。リブ４３は、支持装置２の手前側に突き出す。リブ４３は、お手入れブラシ３０の長手方向の中央部を保持する位置よりも下方の奥側において、お手入れブラシ３０の奥側方向への変位を規制する規制部の一例である。
【００６３】
お手入れブラシ３０がお手入れブラシ収納部２９に収納された状態において、柄部３１の一側３１ａの一部がリブ４３に接触するまで押し込まれると、柄部３１の他側３１ｂが手前に押し出される。このため、ブラシ部３２に触れることなく、お手入れブラシ３０が容易に取り外される。
【００６４】
以上で説明した実施の形態２によれば、支持装置２において、リブ４３は、お手入れブラシ３０の長手方向の中央部を保持する位置よりも下方の奥側においてお手入れブラシ３０の側に突き出す。このため、お手入れブラシ３０の下部の押し込み過ぎによりお手入れブラシ３０が外れることを抑制することができる。
【符号の説明】
【００６５】
１  掃除機システム、  ２  支持装置、  ３  掃除機、  ４  基体、  ５  支持体、  ６  保持体、  ７  吸い込み具、  ８  管体、  ９  本体、  １０  収容ユニット、  １１  ハンドル部、  １２  電動送風部、  １３  集塵ユニット、  １４  フィルタ部、  １５  操作部、  １６  制御部、  １７  電源部、  １８  クッション、  １９ａ  排気部、  １９ｂ  排気部、  １９ｃ  排気部、  ２０  格子部、  ２１  吸気風路形成部、  ２２  排気風路形成部、  ２３  吸気風路、  ２４  排気風路、  ２５  接続口、  ２６  排出孔部ケース、  ２７  流入部ケース、  ２８  集塵部ケース、  ２９  お手入れブラシ収納部、  ３０  お手入れブラシ、  ３１  柄部、  ３１ａ  一側、  ３１ｂ  他側、  ３２  ブラシ部、  ３３  保持部、  ３４  持ち手部、  ３５  成型部、  ３６  軟質部、  ３７  穴部、  ３８  突起部、  ３９  くぼみ部、  ４０ａ  凹部、  ４０ｂ  凹部、  ４１  突起部、  ４２  傾斜部、  ４３  リブ
【図１】
2019162285.tif 000003
【図２】
2019162285.tif 000004
【図３】
2019162285.tif 000005
【図４】
2019162285.tif 000006
【図５】
2019162285.tif 000007
【図６】
2019162285.tif 000008
【図７】
2019162285.tif 000009
【図８】
2019162285.tif 000010
【図９】
2019162285.tif 000011
【図１０】
2019162285.tif 000012
【図１１】
2019162285.tif 000013
【図１２】
2019162285.tif 000014
【図１３】
2019162285.tif 000015
【図１４】
2019162285.tif 000016
【図１５】
2019162285.tif 000017
【図１６】
2019162285.tif 000018
【図１７】
2019162285.tif 000019
【図１８】
2019162285.tif 000020
【図１９】
2019162285.tif 000021
【図２０】
2019162285.tif 000022
【図２１】
2019162285.tif 000023
【図２２】
2019162285.tif 000024